(57)【要約】【課題】表示灯の点灯状況より、Ｘ線に挿入されているＸ線フィルタの種類が確認でき、常時最適なＸ線フィルタを選択し、適切なＸ線条件で、良好な画像が得られるＸ線撮影装置を供給する。【解決手段】制御回路６４は、丸穴６９ａとＸ線フィルタ７０、７１、７２の各々の中心がＸ線に挿入されたときの位置センサ７４の出力値（Ａ、Ｂ、Ｃ、Ｄ）を記憶する。術者が切替スイッチ６２を押すと制御回路６４はモータ駆動回路６６を介してモータ６７を回転させ、位置センサ７４の出力値がＡ、Ｂ、Ｃ、Ｄのいずれかの値になるとモータ６７を停止させる。該出力値に対応して制御回路６４は表示灯６３の０．３秒点灯、０．３秒消灯の点滅回数を決める。この点滅は３秒周期で繰り返される。【選択図】          図１
2011015709.tif 000002
【特許請求の範囲】
【請求項１】
複数のＸ線フィルタと、Ｘ線管から放射されるＸ線の経路に前記複数のＸ線フィルタの一つを挿入させるＸ線フィルタ挿入手段とを備え、被検者を通過した透過Ｘ線をＸ線撮像手段により撮影するＸ線撮影装置において、前記Ｘ線フィルタ挿入手段に対し一のＸ線フィルタを挿入する指令を生起する切替スイッチと、前記切替スイッチの近傍に配設される表示灯と、前記挿入されたＸ線フィルタの種類に対応して前記表示灯の点灯方法を変更する点灯手段を備えたことを特徴とするＸ線撮影装置。
【請求項２】
前記点灯手段は前記表示灯を点滅させ、所定時間内の点滅回数が前記挿入されたＸ線フィルタの種類に対応していることを特徴とする請求項１記載のＸ線撮影装置。
【請求項３】
前記点灯手段は前記表示灯を色を変えて点灯させ、前記点灯した色の種類が前記挿入されたＸ線フィルタの種類に対応していることを特徴とする請求項１記載のＸ線撮影装置。
【発明の詳細な説明】
【技術分野】
【０００１】
本発明は、Ｘ線撮影装置に係り、特にＸ線を曝射するＸ線管と被検者の間に挿入されるＸ線フィルタの種類を表示する表示手段に関する。
【背景技術】
【０００２】
この種のＸ線撮影装置は、被検者にＸ線フィルタを介してＸ線を曝射するＸ線管と、前記Ｘ線管に保持され前記Ｘ線フィルタが配設されるＸ線絞りと、前記Ｘ線管を水平方向および鉛直方向に移動可能に天井走行式で吊設保持するＸ線管保持部と、被検者を透過したＸ線を画像化するＸ線フィルムを内蔵したカセッテまたは可搬型ＦＰＤなどで構成されるＸ線検出器と、前記Ｘ線検出器を着脱可能に保持し指定された撮影術式に対応して選択使用される立位撮影台および臥位撮影台と、前記各構成要素を制御する制御卓で構成される。
【０００３】
従来、病院でＸ線撮影を行う場合、Ｘ線検出器を、撮影目的によって、立位撮影台（立位スタンド）または臥位撮影台（天板を備えた寝台）にセットし、Ｘ線検出器がセットされた撮影台に被検者を載置し、制御卓の操作盤より撮影術式を入力することによりＸ線管が撮影術式に適した位置に移動し、適切なＸ線フィルタを挿入し、撮影開始操作をする。
【０００４】
例えば、一般撮影における胸部Ｘ線撮影の場合、１４０ｋＶ、１００ｍＡのＸ線条件で、Ｃｕ１．０ｍｍ厚のＸ線フィルタを挿入して撮影する。該Ｘ線フィルタを挿入することにより、２０〜５５ｋｅＶの低エネルギーのＸ線成分が減弱され、５５ｋｅＶ以上の高エネルギー成分のみのＸ線が被検者に照射され、肋骨および縦隔部に重なった病変が画像として表現できる。
【０００５】
一方、一回の撮影で異なるＸ線フィルタを順次挿入し、挿入されたＸ線フィルタに応じて異なるＸ線条件でＸ線を放射させ、Ｘ線吸収差の小さい部位から大きい部位までを適正な濃度で撮影することができるＸ線撮影装置が提案されている（特許文献１参照）。
【先行技術文献】
【特許文献】
【０００６】
【特許文献１】特開２００３−２１０４４２号公報
【発明の概要】
【発明が解決しようとする課題】
【０００７】
上述のとおり適正なＸ線フィルタを挿入することにより良好な画像を得ることができる。従来、挿入されたＸ線フィルタの種類はＸ線絞りに備えられた液晶で構成される表示器に表示されるが、表示器が故障している場合または表示器が無い場合には、Ｘ線フィルタの種類が確認できず、Ｘ線条件が不適切となり、線量不足や線量過多あるいは良好な画像が得られないだけでなく被検者に余分な被曝をさせるなどの恐れがあった。
【課題を解決するための手段】
【０００８】
本発明は、複数のＸ線フィルタと、Ｘ線管から放射されるＸ線の経路に前記複数のＸ線フィルタの一つを挿入させるＸ線フィルタ挿入手段とを備え、被検者を通過した透過Ｘ線をＸ線撮像手段により撮影するＸ線撮影装置において、前記Ｘ線フィルタ挿入手段に対し一のＸ線フィルタを挿入する指令を生起する切替スイッチと、前記切替スイッチの近傍に配設される表示灯と、前記挿入されたＸ線フィルタの種類に対応して前記表示灯の点灯方法を変更する点灯手段を備えるものである。しかも前記点灯手段は前記表示灯を点滅させ、所定時間内の点滅回数が前記挿入されたＸ線フィルタの種類に対応している。あるいは前記点灯手段は前記表示灯を色を変えて点灯させ、前記点灯した色の種類が前記挿入されたＸ線フィルタの種類に対応している。したがって液晶で構成される表示器が故障している場合または表示器が無い場合でもＸ線フィルタの種類を確認できる。
【発明の効果】
【０００９】
表示器が故障している場合または表示器が無い場合でも、Ｘ線に挿入されているＸ線フィルタの種類が確認できるので、最適なＸ線フィルタを選択でき、適切なＸ線条件で、線量不足や線量過多がなく、良好な画像が得られるだけでなく被検者に余分な被曝をさせないＸ線撮影装置の供給が期待できる。
【図面の簡単な説明】
【００１０】
【図１】本発明の実施例によるＸ線絞りの概略構成を示す図である。
【図２】本発明の実施例によるＸ線撮影装置の概略構成を示す図である。
【発明を実施するための形態】
【００１１】
本発明の実施例によるＸ線撮影装置は一般撮影用であり、被検者にＸ線フィルタを介してＸ線を曝射するＸ線管と、該Ｘ線管に保持され前記Ｘ線フィルタを備えたＸ線絞りと、該Ｘ線管を吊設保持するＸ線管保持部と、被検者を透過したＸ線を画像化するＦＰＤで構成されるＸ線検出器と、該Ｘ線検出器を保持する検出器保持部（立位スタンド）で構成される。
【実施例】
【００１２】
本発明の実施例によるＸ線撮影装置について、図１、図２を参照して説明する。図１は、本発明の実施例によるＸ線絞り６の概略構成を示す図である。図２は、本発明の実施例によるＸ線撮影装置の概略構成を示す図である。
【００１３】
本発明の実施例によるＸ線撮影装置は図２に示すとおり、表示器６１と切替スイッチ６２と表示灯６３を備えたＸ線絞り６を介して被検者ＭにＸ線を曝射するＸ線管１と、Ｘ線管１を保持するＸ線管保持部２と、ＦＰＤで構成されるＸ線検出器５が配設されるブッキー部４を保持する立位スタンド３と、Ｘ線の曝射を制御するＸ線発生装置１５と、前記各構成要素を制御し画像処理などを行う制御卓８で構成される。
【００１４】
Ｘ線発生装置１５は、Ｘ線制御器１６と、高電圧装置１７で構成される。制御卓８は、画像処理部９と、Ｘ線条件などを保存する条件保存部１２と、Ｘ線条件などを入力する操作盤１０と、各構成要素を制御する制御部１１で構成される。
【００１５】
Ｘ線制御器１６は、制御部１１の指令に従い、条件保存部１２に保存されているＸ線条件にもとづいて高電圧装置１７を介してＸ線管１を制御する。被検者Ｍを透過したＸ線は、Ｘ線検出器５に入射し電気信号に変換され画像処理部９に入力し画像化され図示しない表示部に表示され、Ｘ線撮影が行われる。
【００１６】
本発明の実施例によるＸ線絞り６について、図１を参照して説明する。Ｘ線絞り６は、図１に示すとおり、外周にギヤ歯が形成され丸穴６９ａとＸ線フィルタ７０、７１、７２が同心円上に配設され回転可能に中心で支持されたフィルタ保持板６９と、フィルタ保持板６９を歯車６８を介して回転させるモータ６７と、フィルタ保持板６９の回転にともない歯車７３を介して回転するポテンショメータで構成される位置センサ７４と、例えば液晶で構成される表示器６１と、切替スイッチ６２と、例えばＬＥＤで構成される表示灯６３と、制御回路６４と、点灯回路６５と、モータ駆動回路６６で構成される。
【００１７】
制御回路６４は、丸穴６９ａとＸ線フィルタ７０、７１、７２の各々の中心がＸ線に挿入されたときの位置センサ７４の出力値（Ａ、Ｂ、Ｃ、Ｄ）を記憶する。術者が切替スイッチ６２を押すと制御回路６４はモータ駆動回路６６を介してモータ６７を回転させ、位置センサ７４の出力値がＡ、Ｂ、Ｃ、Ｄのいずれかの値になるとモータ６７を停止させる。該出力値がＡでモータ６７が停止した場合は、Ｘ線は丸穴６９ａを通過しているので、表示器６１はＸ線にＸ線フィルタの挿入は無いことを表示し、表示灯６３は点灯しない。
【００１８】
該出力値がＢでモータ６７が停止した場合は、表示器６１はＸ線にＸ線フィルタ７０が挿入されていることを表示し、制御回路６４は点灯回路６５を介して例えば０．３秒間表示灯６３を点灯し、これを周期３秒で繰り返す。該出力値がＣでモータ６７が停止した場合は、表示器６１はＸ線にＸ線フィルタ７１が挿入されていることを表示し、制御回路６４は点灯回路６５を介して例えば表示灯６３を０．３秒点灯、０．３秒消灯の点滅を２回行い、これを周期３秒で繰り返す。該出力値がＤでモータ６７が停止した場合は、表示器６１はＸ線にＸ線フィルタ７２が挿入されていることを表示し、制御回路６４は点灯回路６５を介して例えば表示灯６３を０．３秒点灯、０．３秒消灯の点滅を３回行い、これを周期３秒で繰り返す。
【００１９】
本発明は以上の構成であるから、液晶で構成される表示器６１が故障しても、術者は表示灯６３が３秒間に点滅する回数より、Ｘ線フィルタ７０、７１、７２のうちいずれがＸ線に挿入されているか確認できる。したがって常時最適なＸ線フィルタを選択でき、適切なＸ線条件で、線量不足や線量過多がなく、良好な画像が得られ、かつ被検者Ｍに余分な被曝をさせないＸ線撮影装置の供給が期待できる。
【００２０】
図に示す実施例においては、制御回路６４は点灯回路６５を介して表示灯６３を０．３秒点灯、０．３秒消灯で点滅させ、３秒間の点滅回数（１〜３回）をＸ線に挿入されたＸ線フィルタの種類に対応させているが、表示灯６３の代わりに、一つのパッケージの中に例えば赤、緑、青の３つのＬＥＤを有する３色ＬＥＤで構成される表示灯を配設し、制御回路６４は点灯回路６５を介して該表示灯を、色を変えて点灯させ、点灯色（赤、緑、青）をＸ線に挿入されたＸ線フィルタの種類に対応させても本発明は適用可能である。
【００２１】
また図に示す実施例においては、切替スイッチ６２は押しボタンスイッチで構成されているが、代わりにロータリースイッチで構成されていても本発明は適用可能である。図２は、立位スタンド３に被検者Ｍが載置されるＸ線撮影装置であるが、臥位撮影台（天板を備えた寝台）に被検者Ｍが載置される一般撮影用Ｘ線撮影装置においても本発明は適用可能である。また被検者Ｍを挟んでＣアームの両端にＸ線管とＸ線検出器が対向して支持されたＸ線撮影装置においても本発明は適用可能である。上述のとおり本発明は図示例に限定されるものではなく種々の変形例を包含する。
【産業上の利用可能性】
【００２２】
本発明は、Ｘ線撮影装置に係り、特にＸ線を曝射するＸ線管と被検者の間に挿入されるＸ線フィルタの種類を表示する表示手段に利用の可能性がある。
【符号の説明】
【００２３】
１  Ｘ線管
２  Ｘ線管保持部
３  立位スタンド
４  ブッキー部
５  Ｘ線検出器
６  Ｘ線絞り
８  制御卓
９  画像処理部
１０  操作盤
１１  制御部
１２  条件保存部
１５  Ｘ線発生装置
１６  Ｘ線制御器
１７  高電圧装置
６１  表示器
６２  切替スイッチ
６３  表示灯
６４  制御回路
６５  点灯回路
６６  モータ駆動回路
６７  モータ
６８  歯車
６９  フィルタ保持板
６９ａ  丸穴
７０  Ｘ線フィルタ
７１  Ｘ線フィルタ
７２  Ｘ線フィルタ
７３  歯車
７４  位置センサ
Ｍ  被検者
【図１】
2011015709.tif 000003
【図２】
2011015709.tif 000004